(57)【要約】【課題】スプール軸とスプールとの間の空間が狭くても、スプール軸に対する導電体の回り止めを行なう係止部材をスプール軸に容易に取り付けることができ、しかも、当該係止部材により導電体をスプール軸にガタ付きなく回り止めして導電体の円滑な軸方向移動を確保できる組み立て性の良い魚釣用リールの提供を目的としている。【解決手段】本発明の一実施形態に係る魚釣用リール１では、導電体２５をスプール軸５に対して回り止めするための係止部材８１が２本の係止ピン８１ａ，８１ｂにより構成されている。そのため、リテーナ５０とバネ部材６０と導電体２５とをスプール軸５に対して組み付けていない状態で、これらの係止ピン８１ａ，８１ｂをスプール軸５の係止凹部１２０に対してスプール軸５の両側から個別に挿入することができる。【選択図】図７
2008271863.tif 000002
【特許請求の範囲】
【請求項１】
リール本体に回転可能に設けられたスプール軸に支持されたスプールと、
前記スプール軸の径方向外方に突設された係止部材と係合することによりスプール軸に対して軸方向に移動可能に回り止め嵌合される導電体と、
前記スプールの回転によって径方向に移動する径方向移動部材とスプール側に設けた軸方向変換制御面との係合案内作用によって、前記リール本体に設けた磁石の磁界内に対して前記導電体を進退させることにより、前記スプールに磁気制動力を増減可能に作用させる磁気制動装置と、
前記導電体を前記磁界から離れる方向に向けて前記スプール側へと付勢する付勢手段と、
を備えた魚釣用リールにおいて、
前記係止部材は、前記スプール軸の径方向内方に形成した係止凹部に対してスプール軸の両側から個別に挿入できる複数の係止体により構成されていることを特徴とする魚釣用リール。
【発明の詳細な説明】
【技術分野】
【０００１】
本発明は、リール本体に回転自在に支持されたスプールに制動力を付与して、釣糸放出操作時のバックラッシュを防止する磁気制動装置を備えた魚釣用リールに関する。
【背景技術】
【０００２】
従来、釣糸放出時（例えば、キャスティング時）のスプールの過回転によるバックラッシュ現象を防止するため、スプールの回転に制動力を付与することが行なわれている。スプールの回転に制動力を付与するバックラッシュ防止装置としては、スプールの回転に伴って発生する遠心力を利用した遠心力制動装置（遠心摩擦ブレーキ装置）や、磁力を利用した磁気制動装置が知られている。前記遠心力制動装置は、スプールの回転に伴う遠心力によって、スプールと一体で回転する制動板をスプールの径方向に移動させてリール本体の所定の部位に摺接させ、それによって生じる摩擦力によりスプールに制動力を付与する。
【０００３】
また、前記磁気制動装置は、スプールと一体で回転する導電体を磁石によって形成される磁界中に位置させ、導電体の回転に伴って生じる電磁力により、導電体の回転に制動力を付与するとともに、導電体とともに回転するスプールに制動力を付与する。
【０００４】
しかしながら、前記遠心力制動装置において、遠心力によって発生する摩擦力（遠心力によって移動される制動片と制動片が摺接するリール本体との間で生じる摩擦力）は、スプールの回転速度の２乗に比例して作用する。そのため、キャスティング開始後にスプールの回転速度が所定の大きさ以上になると（キャスティングの初期段階）、急激に摩擦制動力が大きくなり、スプールの回転速度が急激に低下する。したがって、仕掛けの飛距離が低下してしまう。また、キャスティング終期にスプールの回転速度が低下した場合には、摩擦抵抗力の低下が大きくなるため、バックラッシュ現象が生じやすくなる。この場合には、適切なサミング操作が必要となるが、そのような操作は、かなりの熟練を要し、初心者には非常に困難である。
【０００５】
一方、前記磁気制動装置においては、スプールの回転速度に略比例して制動力が作用するため、遠心力制動装置のようにスプールの回転速度の変化に対して制動力が大きく変化することがない。したがって、バックラッシュ現象が発生しにくく、初心者でも安心してキャスティングができる。しかし、スプールが回転している間は常にスプールの回転速度に応じた制動力が発生するため、スプールの回転速度が低下するキャスティング終期においても制動力がスプールに作用し、仕掛けの飛距離が伸びない。
【０００６】
そこで、以上のような遠心力制動装置および磁気制動装置の両方の問題点を解決するため、例えば特許文献１では、キャスティングの初期や終期におけるスプール回転速度の抑制を無くして、仕掛けの飛距離増大とバックラッシュ発生防止とを図るべく、スプールの回転速度に応じて遠心カラーの径方向移動を軸方向に変換させ、遠心カラーに設けられた導電体を付勢力に抗してリール本体内の磁界内に進退可能としている。
【特許文献１】特許第３５１５８７５号公報
【発明の開示】
【発明が解決しようとする課題】
【０００７】
ところで、特許文献１において磁界に対して進退する導電体は導電体支持部により支持されており、また、この導電体支持部は、スプール軸に対して軸方向に移動可能に回り止め嵌合されている。そして、そのような回り止め嵌合方法として、当該特許文献１の図６および図７には、スプール軸の断面形状を非円形にするとともに、その非円形状に対応する内面形状を有する管状の導電体支持部をスプール軸の外周に嵌合することで、導電体支持部をスプール軸に対して回り止め嵌合する非円形嵌合方法が開示されている。しかしながら、このような非円形嵌合支持方法では、スプール軸に対する導電体の同芯度を正確に得ることが難しく、したがって、導電体の軸方向移動が重くなったり、あるいは、導電体支持部とスプール軸との嵌合ガタによりキャスティング時に異音や振動が発生する虞がある。
【０００８】
一方、特許文献１の図２４には、他の回り止め嵌合方法として、断面形状が円形のスプール軸の外周に円形の内面形状を有する管状の導電体支持部を嵌合させると共に、スプール軸の係止孔に貫通状態で係止された回り止めピンを導電体支持部の長溝に係合させることで、導電体支持部をスプール軸に対して軸方向に移動可能に回り止めする構成が開示されており、このような回り止め嵌合方法によれば前述した非円形嵌合方法の問題点が解消される。
【０００９】
しかしながら、回り止めピンを用いた前記回り止め嵌合方法では、組み立て時に、スプール軸の係止孔を貫通して導電体支持部と係合し得る十分な長さの回り止めピンを、スプールのフランジ側開口部から、スプールと一体を成すスプール軸とスプールとの間の空間を通じて、スプール軸の一方側から前記係止孔内に嵌入しなければならず、そのため、スプール軸とスプールとの間には回り止めピンの全長以上の空間が確保されていなければならない。したがって、糸巻き量が多い深溝タイプのスプール、すなわち、スプール軸とスプールとの間の空間が比較的狭いタイプのスプールに対してこのような回り止め嵌合方法を適用することは困難である。
【００１０】
また、スプール軸とスプールとの間の空間を介した前記係止孔に対する回り止めピンの挿入作業性を優先して、回り止めピンを短く形成してしまうと、回り止めピンと導電体支持部との間に大きな間隙が発生してしまい、ガタが生じ易くなる。そのため、キャスティング時に異音が発生する虞がある。また、回り止めピンの長さが短いと、導電体支持部との係合応力がその短い部位に集中し、導電体支持部と回り止めピンとの当接状態が強くなってしまうため、導電体支持部の軸方向移動の円滑性が低下してしまう。
【００１１】
本発明は、前記事情に着目してなされたものであり、その目的とするところは、スプール軸とスプールとの間の空間が狭くても、スプール軸に対する導電体の回り止めを行なう係止部材をスプール軸に容易に取り付けることができ、しかも、当該係止部材により導電体をスプール軸にガタ付きなく回り止めして導電体の円滑な軸方向移動を確保できる組み立て性の良い魚釣用リールを提供することにある。
【課題を解決するための手段】
【００１２】
前記課題を解決するために、本発明は、リール本体に回転可能に設けられたスプール軸に支持されたスプールと、前記スプール軸の径方向外方に突設された係止部材と係合することによりスプール軸に対して軸方向に移動可能に回り止め嵌合される導電体と、前記スプールの回転によって径方向に移動する径方向移動部材とスプール側に設けた軸方向変換制御面との係合案内作用によって、前記リール本体に設けた磁石の磁界内に対して前記導電体を進退させることにより、前記スプールに磁気制動力を増減可能に作用させる磁気制動装置と、前記導電体を前記磁界から離れる方向に向けて前記スプール側へと付勢する付勢手段とを備えた魚釣用リールにおいて、前記係止部材は、前記スプール軸の径方向内方に形成した係止凹部に対してスプール軸の両側から個別に挿入できる複数の係止体により構成されていることを特徴とする。
【発明の効果】
【００１３】
本発明によれば、スプール軸とスプールとの間の空間が狭くても、スプール軸に対する導電体の回り止めを行なう係止部材をスプール軸に容易に取り付けることができ、しかも、当該係止部材により導電体をスプール軸にガタ付きなく回り止めして導電体の円滑な軸方向移動を確保できる組み立て性の良い魚釣用リールを提供できる。
【発明を実施するための最良の形態】
【００１４】
以下、図面を参照しながら、本発明の一実施形態について説明する。
図１〜図７は本発明の一実施形態を示している。図１に示すように、本実施形態に係る魚釣用リールとしての両軸受型リール１は、左側板１ａと、右側板１ｂと、両側板１ａ，１ｂによって覆われた左右のフレーム２ａ，２ｂとを有するリール本体を備えている。左右のフレーム２ａ，２ｂ間にはスプール軸５が軸受１０，１０を介して回転可能に支持されており、また、スプール軸５には釣糸が巻回されるスプール３が一体で固定されている。
【００１５】
右フレーム２ｂから突出するスプール軸５の端部には、スプール軸５の軸方向に沿って移動可能なピニオンギア（図示せず）が取り付けられている。このピニオンギアは、図示しない公知の切換手段によって、スプール軸５と係合してスプール軸５と一体に回転する係合位置と、スプール軸５との係合状態が解除される非係合位置との間で移動される。また、ピニオンには駆動歯車（図示せず）が噛合しており、駆動歯車に取り付けられたハンドル軸（図示せず）の端部にはハンドル１１２が取り付けられている。したがって、ハンドル１１２を回転操作すると、前記駆動歯車と前記ピニオンギアとを介して、スプール軸５が回転駆動され、それに伴ってスプール３が回転される。
【００１６】
また、左右のフレーム２ａ，２ｂ間には、スプール３の釣糸繰出し方向側に、レベルワインド装置１５が配されている。このレベルワインド装置１５は、外周面にトラバース溝が形成され且つ端部に前記駆動歯車と噛合する歯車が取り付けられたトラバース軸（図示せず）と、このトラバース軸を収容する筒体１７と、前記トラバース溝と係合してトラバース軸の回転により筒体１７に沿って左右に摺動する係合子１８とを有しており、係合子１８に形成された孔１８ａを介してスプール３に巻回された釣糸を案内する。したがって、ハンドル１１２を回転操作すれば、スプール３の回転および係合子１８の左右の摺動により、スプール３には釣糸が均等に巻回される。
【００１７】
また、本実施形態の両軸受型リール１は、釣糸放出動作の際にスプール３の過回転を防止する磁気制動装置２０を備えている。磁気制動装置２０は、磁性体からなる２つの環状体１１，１２を有している。この場合、第１の環状体１１はリール本体に固定されており、また、第２の環状体１２はリール本体に回動可能に保持されている。
【００１８】
第１の環状体１１は、スプール軸５の一端を支持する軸受１０を保持するとともにスプール軸５の軸方向に沿って内側に延びる環状の第１の磁石保持部１１ａを有している。また、第２の環状体１２は、第１の磁石保持部１１ａの外側に同心的に配された環状の第２の磁石保持部１２ａを有している。
【００１９】
第１の磁石保持部１１ａの外周面には、その周方向に互いに所定の間隔をおいて、複数の磁石１３…が固着されている。また、第２の磁石保持部１２ａの内周面にも、その周方向に互いに所定の間隔をおいて、複数の磁石１４…が内側に位置する前記磁石１３…と対向するように固着されている。
【００２０】
第１の磁石保持部１１ａに保持された磁石１３は、第２の磁石保持部１２ａに保持された磁石１４と対向する側の極性が、互いに隣り合うもの同士で異なっている。また、第２の磁石保持部１２ａに保持された磁石１４も、第１の磁石保持部１１ａに保持された磁石１３と対向する側の極性が、互いに隣り合うもの同士で異なっている。
【００２１】
また、左側板１ａには、制動力調整ノブ２１が回動可能に設けられている。この制動力調整ノブ２１にはこれと一体に回動するギア２２が固定されており、このギア２２は、第２の環状体１２の外周面に形成された歯１９と噛み合っている。したがって、制動力調整ノブ２１を回動操作すると、ギア２２を介して第２の環状体１２が第１の環状体１１に対して回動し、互いに対向する磁石１３，１４同士の極性関係（Ｎ−Ｎ，Ｎ−Ｓ）やオーバーラップ量が変化する。すなわち、磁石１３，１４によって形成される磁界の方向や強さが変化される。
【００２２】
また、磁気制動装置２０は、スプール軸５にその軸方向に沿って移動可能に取り付けられた導電体２５を有している。図２〜図５に詳しく示されるように、導電体２５の筒状の支持本体部２５ａの外周面には、所定間隔をおいて径方向に伸張して形成された切り欠き状の支持部２５ｂが形成されており、各支持部２５ｂには、径方向に移動可能となるように遠心カラー（径方向移動部材）３０が支持されている。そして、これらの遠心カラー３０は、スプール軸５（および導電体２５）がスプール３と共に回転した際、その遠心力によって径方向外側に移動するようになっている。また、導電体２５には、遠心カラー３０の一方側（左フレーム２ａ側）に環状の導電作用部４０が一体に形成されている。
【００２３】
また、本実施形態において、導電体２５は、円形の内面形状を有するその管状の支持本体部２５ａが円形断面のスプール軸５の外周に嵌合された状態で、スプール軸５の径方向外方に突設された係止部材８１との係合によって軸方向の移動が案内されつつ回り止めされている。具体的には、図４および図６に明確に示されるように、スプール軸５には、これを両側で貫通するように係止凹部１２０が径方向内方に形成されており（スプール軸５の円形断面の中心を通るように延びており）、この係止凹部１２０内には係止部材８１がスプール軸５の両側から十分な長さ（導電体２５とガタ無く係合し且つ導電体２５を軸方向に円滑に移動させることができる長さ）で突出するように挿入されている。
【００２４】
ここで、係止部材８１は、係止凹部１２０内にその両側から（係止凹部１２０に対してスプール軸５の両側から）個別に挿入できる長さの一対の係止ピン（係止体）８１ａ，８１ｂにより構成されており（係止ピン８１ａ，８１ｂは、ピン状の係止部材８１をその長手方向で２つに分割した形態を成している）、係止凹部１２０に係止するこれらの係止ピン８１ａ，８１ｂが導電体２５の支持本体部２５ａに形成された凹部（軸方向に延びる長溝）１３０と係合することにより、導電体２５は、スプール軸５に対して回り止めされてスプール軸５と一体で回転しながら、その軸方向移動が案内される。
【００２５】
また、本実施形態において、スプール３の釣糸巻回面の裏面側には、左フレーム２ａ側に向けて次第に拡径する軸方向変換制御面としてのテーパ面６２が形成されている。このテーパ面６２は、遠心カラー３０が径方向外側に移動する際に遠心カラー３０の外面に形成された傾斜面３０ａと面接触（係合）して、遠心カラー３０の移動を案内するようになっている。すなわち、導電体２５に支持された遠心カラー３０は、スプール軸５（スプール３）の回転に伴う遠心力により、径方向に移動するとともに、テーパ面６２に沿って案内され、導電体２５を左フレーム２ａ側へと軸方向に移動する（遠心カラー３０の径方向の移動が導電体２５の軸方向の移動へ変換される）ようになっている。
【００２６】
また、スプール軸５の一端部の環状係止溝５ａに固定されたリテーナ５０と導電体２５の支持本体部２５ａとの間には、導電体２５をリテーナ５０から離間させるスプール３側方向に向けて常時付勢する（導電体２５の導電作用部４０を磁石１３，１４の磁界から離れる方向に向けてスプール３側へと常時付勢する）バネ部材（付勢手段）６０が介挿されている。
【００２７】
次に、上記構成の両軸受型リール１の動作について説明する。
例えばキャスティングによってスプール３が回転すると、導電体２５もスプール３と一体に回転する。キャスティング開始直後の初期において、スプール３の回転速度が所定の大きさに到達するまでの間は、遠心カラー３０に作用する遠心力が弱いため、スプール３のテーパ面６２に対する遠心カラー３０の押圧力の軸方向分力はバネ部材６０の付勢力よりも小さい。したがって、導電体２５は、スプール軸５に対して軸方向に殆ど移動することなく、スプール３停止時と略同様の位置を維持する。つまり、導電体２５の導電作用部４０が磁石１３，１４間に形成された環状空間に突入せず、スプール３には磁気に伴う制動力（磁気制動力）が作用しない。その結果、スプール３がフリーに回転して（スプール３の回転速度が向上し）、釣糸の投出量すなわち仕掛けの飛距離が伸びる。
【００２８】
その後、スプール３の回転速度が上昇して遠心カラー３０に作用する遠心力が所定の大きさを超えると、すなわち、スプール３のテーパ面６２に対する遠心カラー３０の押圧力の軸方向分力がバネ部材６０の付勢力よりも大きくなると、導電体２５は、遠心カラー３０とテーパ面６２との係合案内作用により、バネ部材６０の付勢力に抗してスプール軸５に対して移動し始める。そして、この移動によって、導電作用部４０が磁石１３，１４間に形成された環状空間（磁界）内に侵入すると、導電作用部４０は、その侵入量（移動量）と回転速度とに応じた力を磁界から受ける。したがって、導電作用部４０と一体で回転するスプール３にもこの力に伴う制動力が作用する。つまり、スプール３にはその回転速度に応じた磁気制動力が増減可能に作用し、その結果、スプール３の過回転が防止され、バックラッシュ現象が抑止される。
【００２９】
また、キャスティングの終期において、スプール３の回転速度が減少して遠心カラー３０に作用する遠心力が弱くなると、すなわち、スプール３のテーパ面６２に対する遠心カラー３０の押圧力の軸方向分力がバネ部材６０の付勢力よりも小さくなると、導電体２５はバネ部材６０の付勢力によって初期位置へ向かって戻され始める。これにより、導電作用部４０は、磁石１３，１４間に形成された環状空間（磁界）から徐々に抜け出し、磁界から受ける力が次第に小さくなる。そのため、適度な制動力がキャスティング終期のスプール３に対して付与される。
【００３０】
以上説明したように、本実施形態の魚釣用リール１では、導電体２５をスプール軸５に対して回り止めするための係止部材８１が２本の係止ピン（係止体）８１ａ，８１ｂにより構成されているため、すなわち、従来の１本のピン状の係止部材をその長手方向で２つに分割した形態を成しているため、図７に示されるように、リテーナ５０とバネ部材６０と導電体２５とをスプール軸５に対して組み付けていない状態で、これらの係止ピン８１ａ，８１ｂをスプール軸５の係止凹部１２０に対してスプール軸５の両側（無論、一方側からのみでも良い）から個別に挿入することができる。したがって、スプール軸５とスプール３との間の空間Ｓがたとえ狭い場合であっても、係止部材８１をスプール軸５に容易に取り付けることができる。そのため、巻き量が多い深溝タイプのスプール、すなわち、スプール軸５とスプール３との間の空間Ｓが比較的狭いタイプのスプールに対しても適用することができる。
【００３１】
また、本実施形態では、断面形状が円形のスプール軸５の外周に円形の内面形状を有する管状の導電体２５を嵌合させるようにしているため、スプール軸５に対する導電体２５（導電作用部４０）の同芯度を正確に得ることができ、したがって、導電体２５とスプール軸５とをガタ付きなく嵌合して導電体２５のスムーズな軸方向移動を確保することができる。そのため、キャスティング時の異音や振動の発生を防止できる。
【００３２】
また、本実施形態では、係止部材８１を２つに分割して個別に係止凹部１２０の両側から挿入できる構造を採用したことにより、スプール軸５とスプール３との間の空間Ｓの大きさや係止部材８１の挿入作業性を考慮して係止部材８１の全長を短くするような必要性も生じないため、言い換えると、導電体２５とガタ無く係合し且つ導電体２５を軸方向に円滑に移動させることができる十分な長さに係止部材８１を設定できるため、係止ピン８１ａ，８１ｂと導電体２５との間に大きな間隙を生じさせずに済み（係止ピン８１ａ，８１ｂをガタ無く（偏り無く）導電体２５に係合させることができ）、そのため、キャスティング時に異音を発生させずに済むとともに、導電体２５と係止ピン８１ａ，８１ｂとの当接状態が強くなることもないため、導電体２５の円滑な軸方向移動を確保でき、ひいては、スプール回転バランス不良を確実に防止できる。
【００３３】
なお、本発明は、前述した実施形態に限定されず、その要旨を逸脱しない範囲で種々変形して実施できることは言うまでもない。例えば、前述した実施形態では、係止部材８１がその長手方向で２つに分割されていたが、係止部材８１が３つ以上に分割されていても構わない。また、前述した実施形態では、係止部材８１が挿入係止されるスプール軸５の係止凹部１２０がスプール軸５の両側で貫通しているが、図８に示されるように、係止凹部１２０がスプール軸５の両側に別個に存在していても良い。すなわち、図８に示される形態において、スプール軸５にはその周方向に１８０度の角度間隔をもって離間する一対の係止凹部１２０Ａ，１２０Ｂが穿設されており、各係止凹部１２０Ａ，１２０Ｂの径方向内側端部はスプール軸５の中心付近で互いに連通することなく終端している（スプール軸５の両側で貫通していない）。このような構成でも、前述した実施形態と同様に、各係止ピン８１ａ，８１ｂを個別に係止凹部１２０の両側から挿入できる。また、前述した実施形態では、導電作用部４０と支持本体部２５ａとが一体に形成されることにより導電体２５が構成されているが、導電作用部４０と支持本体部２５ａとが別体に形成され、支持本体部２５ａに対して導電作用部４０が取り付けられていても構わない。
【図面の簡単な説明】
【００３４】
【図１】本発明の一実施形態に係る魚釣用リールの一部断面を有する概略構成図である。
【図２】図１の魚釣用リールの要部の拡大断面図である。
【図３】スプール軸に取り付けられた導電体の拡大断面図である。
【図４】図３のＢ−Ｂ線に沿う断面図である。
【図５】図３のＣ−Ｃ線に沿う断面図である。
【図６】図２のＡ−Ａ線に沿う断面図である。
【図７】スプール軸に対する導電体の組み付け形態を示す分解斜視図である。
【図８】スプール軸に形成される係止凹部の変形例を示す断面図である。
【符号の説明】
【００３５】
１  魚釣用リール
３  スプール
５  スプール軸
１３，１４  磁石
２５  導電体
３０  遠心カラー（径方向移動部材）
６０  バネ部材（付勢手段）
６２  テーパ面（軸方向変換制御面）
８１  係止部材
８１ａ，８１ｂ  係止ピン（係止体）
１２０  係止凹部
【図１】
2008271863.tif 000003
【図２】
2008271863.tif 000004
【図３】
2008271863.tif 000005
【図４】
2008271863.tif 000006
【図５】
2008271863.tif 000007
【図６】
2008271863.tif 000008
【図７】
2008271863.tif 000009
【図８】
2008271863.tif 000010